(57)【要約】【課題】被給電体のユーザの利便性を向上する制御装置、その制御方法、およびプログラムを提供する。【解決手段】制御装置１００は、充電台と通信可能な状態となった場合に、自被給電体の属性を判定する属性判定部１０２と、属性判定部１０２により判定される自被給電体の属性に基づいて、当該自被給電体が実行すべき処理を決定して実行する実行部１０４と、を備える。【選択図】図１
2015033142.tif 000002
【特許請求の範囲】
【請求項１】
充電台と通信可能な状態となった場合に、自被給電体の属性を判定する属性判定手段と、
前記属性判定手段により判定される前記自被給電体の属性に基づいて、当該自被給電体が実行すべき処理を決定して実行する実行手段と、を備える制御装置。
【請求項２】
請求項１に記載の制御装置において、
前記充電台と通信可能な他の被給電体の属性を、前記充電台または前記他の被給電体から取得する属性取得手段と、
前記属性取得手段により取得された前記他の被給電体の属性と、前記自被給電体の属性を比較し、前記自被給電体と前記他の被給電体の前記属性の関係性を取得する関係性取得手段と、をさらに備え、
前記実行手段は、
前記関係性取得手段により取得された前記属性の関係性に基づいて、当該自被給電体が実行すべき処理を決定して実行する制御装置。
【請求項３】
請求項２に記載の制御装置において、
前記実行手段は、
前記関係性取得手段により取得された前記属性の関係性に基づいて、前記他の被給電体が実行すべき処理をさらに決定して前記他の被給電体に実行させる制御装置。
【請求項４】
請求項３に記載の制御装置において、
前記充電台と通信可能な前記自被給電体、または前記充電台に、前記他の被給電体の属性を送信する属性送信手段と、
前記自被給電体、または前記充電台から、前記他の被給電体が実行すべき処理の指示を受信する指示受信手段と、を備え、
前記実行手段は、
前記指示受信手段により前記指示を受信した場合、前記指示に従い、指示された前記処理を実行する制御装置。
【請求項５】
請求項１乃至４いずれかに記載の制御装置において、
前記充電台と通信可能な他の被給電体が実行している処理の情報を取得する処理情報取得手段をさらに備え、
前記実行手段は、
前記属性判定手段により判定される前記自被給電体の属性に基づき決定する当該自被給電体が実行すべき処理を、前記処理情報取得手段により取得された前記他の被給電体が実行している処理以外の処理とする制御装置。
【請求項６】
請求項１乃至５いずれかに記載の制御装置において、
前記実行手段は、
前記前記属性判定手段により判定される前記自被給電体の属性に基づいて、当該自被給電体が実行すべきでない処理を決定し、当該処理の実行を中止する制御装置。
【請求項７】
請求項１乃至６いずれかに記載の制御装置において、
前記実行手段は、前記自被給電体または他の被給電体の前記属性として、前記充電台と通信可能な前記自被給電体と前記他の被給電体に予め定められた優先順位、前記自被給電体と前記他の被給電体が前記充電台と通信可能になった順番、前記充電台と通信可能な前記自被給電体と前記他の被給電体の位置、前記自被給電体と前記他の被給電体の画面の性能、前記自被給電体と前記他の被給電体の電池の性能、前記自被給電体と前記他の被給電体の通信性能、および前記自被給電体と前記他の被給電体のスピーカの性能の少なくともいずれかを用いる制御装置。
【請求項８】
請求項３乃至７いずれかに記載の制御装置において、
前記実行手段は、前記自被給電体および他の被給電体の少なくとも一方の被給電体に、現在地におけるナビゲーション機能を実行させ、他方の被給電体に、前記ナビゲーション機能とは別の機能を実行させことを決定する制御装置。
【請求項９】
請求項８に記載の制御装置において、
前記実行手段は、前記他方の被給電体に、目的地周辺の情報を表示する処理を実行させることを決定する制御装置。
【請求項１０】
請求項８または９に記載の制御装置において、
前記実行手段は、前記他方の被給電体に、現在地周辺の情報を表示する処理を実行させることを決定する制御装置。
【請求項１１】
請求項８乃至１０いずれかに記載の制御装置において、
前記実行手段は、前記他方の被給電体に、前記一方の被給電体とは異なる縮尺の異なる地図情報を表示する処理を実行させることを決定する制御装置。
【請求項１２】
請求項８乃至１１いずれかに記載の制御装置において、
前記実行手段は、前記一方の被給電体に、前記ナビゲーション機能を、第１地図を用いて実行させ、前記他方の被給電体に、前記現在地におけるナビゲーション機能を、前記第１地図とは別の方法で作成された第２地図を用いて実行させることを決定する制御装置。
【請求項１３】
請求項８乃至１２いずれかに記載の制御装置において、
前記実行手段は、前記他方の被給電体に、メディアプレーヤ機能を実行させることを決定する制御装置。
【請求項１４】
制御装置が、
充電台と通信可能な状態となった場合に、自被給電体の属性を判定し、
判定される前記自被給電体の属性に基づいて、当該自被給電体が実行すべき処理を決定して実行する制御装置の制御方法。
【請求項１５】
充電台と通信可能な状態となった場合に、自被給電体の属性を判定する手順、
前記属性を判定する手順により判定される前記自被給電体の属性に基づいて、当該自被給電体が実行すべき処理を決定して実行する手順、
をコンピュータに実行させるためのプログラム。
【発明の詳細な説明】
【技術分野】
【０００１】
本発明は、制御装置、その制御方法、およびプログラムに関し、特に、被給電体を制御する制御装置、その制御方法、およびプログラムに関する。
【背景技術】
【０００２】
近年、複数のモバイル機器を一緒に充電することが可能な充電装置が実用化されている。このような充電装置の一例として、特許文献１に記載のものがある。特許文献１に記載の充電装置は、載置面に載置された端末の位置や載置した順番に応じて、発光対象となる発光体ＬＥＤを選択して、特定の発光色と点滅パターンで発光させ、さらには、端末の発光体ＬＥＤも特定の発光色と点滅パターンで発光させる。
【先行技術文献】
【特許文献】
【０００３】
【特許文献１】特開２０１１−５５６６９号公報
【発明の概要】
【発明が解決しようとする課題】
【０００４】
本発明者は、以下のような課題を見出した。
このような複数端末を載置して充電する充電台の上で、充電しながら端末に所定の機能を実行させることが可能である。しかしながら、充電している端末の性能等によっては、充電しながら行うのに適している処理と、適していない処理があったり、充電残量等の端末の状況に適していない処理があったりするが、それらの処理を端末の性能や状況に応じて適切に自動的振り分けて行わせるという発想はなかった。
【０００５】
本発明は上記事情に鑑みてなされたものであり、その目的とするところは、被給電体のユーザの利便性を向上する制御装置、その制御方法、およびプログラムを提供することにある。
【課題を解決するための手段】
【０００６】
本発明の制御装置は、
充電台と通信可能な状態となった場合に、自被給電体の属性を判定する属性判定手段と、
前記属性判定手段により判定される前記自被給電体の属性に基づいて、当該自被給電体が実行すべき処理を決定して実行する実行手段と、を備える。
【０００７】
本発明の制御装置の制御方法は、
制御装置が、
充電台と通信可能な状態となった場合に、自被給電体の属性を判定し、
判定される前記自被給電体の属性に基づいて、当該自被給電体が実行すべき処理を決定して実行する。
【０００８】
本発明のコンピュータプログラムは、
充電台と通信可能な状態となった場合に、自被給電体の属性を判定する手順、
前記属性を判定する手順により判定される前記自被給電体の属性に基づいて、当該自被給電体が実行すべき処理を決定して実行する手順、
をコンピュータに実行させるプログラムである。
【０００９】
なお、以上の構成要素の任意の組合せ、本発明の表現を方法、装置、システム、記録媒体、コンピュータプログラムなどの間で変換したものもまた、本発明の態様として有効である。
【００１０】
また、本発明の各種の構成要素は、必ずしも個々に独立した存在である必要はなく、複数の構成要素が一個の部材として形成されていること、一つの構成要素が複数の部材で形成されていること、ある構成要素が他の構成要素の一部であること、ある構成要素の一部と他の構成要素の一部とが重複していること、等でもよい。
【００１１】
また、本発明の制御方法およびコンピュータプログラムには複数の手順を順番に記載してあるが、その記載の順番は複数の手順を実行する順番を限定するものではない。このため、本発明の制御方法およびコンピュータプログラムを実施するときには、その複数の手順の順番は内容的に支障のない範囲で変更することができる。
【００１２】
さらに、本発明の制御方法およびコンピュータプログラムの複数の手順は個々に相違するタイミングで実行されることに限定されない。このため、ある手順の実行中に他の手順が発生すること、ある手順の実行タイミングと他の手順の実行タイミングとの一部ないし全部が重複していること、等でもよい。
【発明の効果】
【００１３】
本発明によれば、被給電体のユーザの利便性を向上する制御装置、その制御方法、およびプログラムが提供される。
【図面の簡単な説明】
【００１４】
【図１】本発明の実施の形態に係る制御装置の論理的な構成を示す機能ブロック図である。
【図２】本発明の実施の形態に係る制御装置の動作の一例を示すフローチャートである。
【図３】本発明の実施の形態に係る制御装置の論理的な構成を示す機能ブロック図である。
【図４】本発明の制御装置の利用シーンを説明するための図である。
【図５】本発明の実施の形態に係る制御装置を実現し、かつ、制御装置の制御対象となる被給電体であるスマートフォンのハードウェア構成を示すブロック図である。
【図６】本発明の実施の形態に係る制御装置において、自被給電体が実行すべき処理を決定する手順を示すフローチャートである。
【図７】本発明の実施の形態に係る制御装置の論理的な構成を示す機能ブロック図である。
【図８】本発明の実施の形態に係る制御装置の動作の一例を示すフローチャートである。
【図９】本発明の実施の形態に係る制御装置において、自被給電体が実行すべき処理を決定する手順を示すフローチャートである。
【図１０】本発明の実施の形態に係る制御装置の論理的な構成を示す機能ブロック図である。
【図１１】本発明の実施の形態に係る制御装置の動作の一例を示すフローチャートである。
【図１２】本発明の制御装置の実施例において、制御された被給電体の画面の一例を示す図である。
【発明を実施するための形態】
【００１５】
以下、本発明の実施の形態について、図面を用いて説明する。尚、すべての図面において、同様な構成要素には同様の符号を付し、適宜説明を省略する。
【００１６】
（第１の実施の形態）
図１は、本発明の実施の形態に係る制御装置１００の論理的な構成を示す機能ブロック図である。
本発明の実施の形態に係る制御装置１００は、充電台と通信可能な状態となった場合に、自被給電体の属性を判定する属性判定部１０２と、属性判定部１０２により判定される自被給電体の属性に基づいて、当該自被給電体が実行すべき処理を決定して実行する実行部１０４と、を備える。
【００１７】
本発明の制御装置が制御する対象となる被給電体は、スマートフォン、携帯電話機、ＰＤＡ（Personal Digital Assistants）、タブレット端末、ノートパソコン、ゲーム機、オーディオ機器、デジタルカメラ、またはその他の電子機器等を含むことができる。さらに、本発明の制御装置の制御対象となる被給電体は、電気自動車（ＥＶ：Electric Vehicle）等も含むことができる。
【００１８】
本発明の制御装置は、少なくとも制御対象となる被給電体を構成する任意のコンピュータにより実現することができる。また、本発明の制御装置は、少なくとも一部の機能を、充電台、および他の制御装置（たとえば、パーソナルコンピュータ）の少なくともいずれか１つ、または、これらの組み合わせの任意のコンピュータにより実現してもよい。本発明の制御装置は、各コンピュータのＣＰＵ（Central Processing Unit）が、本発明の制御装置の各機能に対応するコンピュータプログラムを実行することによって、単体のコンピュータまたは複数のコンピュータのハードウェアとの組み合わせにより実現することができる。また、本発明の制御装置は、少なくとも１つのチップや装置として実現されてもよく、さらに、少なくとも被給電体、あるいは、被給電体に加え、充電台または他の制御装置に装着するような形態で実現されてもよい。
本実施形態の制御装置１００は、制御対象となる被給電体を構成する任意のコンピュータにより実現される。
【００１９】
本実施の形態の制御装置１００の各構成要素は、ＣＰＵ、メモリ、メモリにロードされた図１の構成要素を実現するプログラム、そのプログラムを格納する記憶装置、通信用インタフェース、を備える上述した任意のコンピュータ（被給電体）のハードウェアとソフトウェアの任意の組合せによって実現される。そして、その実現方法、装置にはいろいろな変形例があることは、当業者には理解されるところである。図１は、ハードウェア単位の構成ではなく、論理的な機能単位のブロックを示している。
【００２０】
本実施の形態の制御装置１００では、本発明の実施の形態に係るコンピュータプログラムに対応する各種の処理動作をコンピュータ（被給電体のＣＰＵ）が実行することにより、前述のような各種ユニットが各種機能として実現される。
なお、上述したように、複数のコンピュータ、たとえば、被給電体と充電台で機能を分担して本発明の制御装置を実現させることもできる。
【００２１】
本実施形態のコンピュータプログラムは、制御装置１００を実現させるためのコンピュータ（被給電体のＣＰＵ）に、充電台と通信可能な状態となった場合に、自被給電体の属性を判定する手順、属性を判定する手順により判定される自被給電体の属性に基づいて、当該自被給電体が実行すべき処理を決定して実行する手順、を実行させるように記述されている。
【００２２】
本発明のコンピュータプログラムは、コンピュータで読み取り可能な記録媒体に記録されてもよい。記録媒体は特に限定されず、様々な形態のものが考えられる。また、プログラムは、記録媒体からコンピュータのメモリにロードされてもよいし、ネットワークを通じてコンピュータにダウンロードされ、メモリにロードされてもよい。
本実施形態では、制御装置１００の制御対象となる被給電体に本発明のコンピュータプログラムがインストールされ、被給電体自身（被給電体のＣＰＵ）がコンピュータプログラムを実行することで、制御装置１００による被給電体の制御が実現されることとなる。
【００２３】
上述のような構成において、本発明の実施の形態に係る制御装置の制御方法を以下に説明する。図２は、本発明の実施の形態に係る制御装置１００の動作の一例を示すフローチャートである。
本発明の実施の形態に係る制御装置の制御方法は、制御装置１００が、充電台と通信可能な状態となった場合に（ステップＳ１０１のＹＥＳ）、当該自被給電体の属性を判定し（ステップＳ１０３）、判定される自被給電体の属性に基づいて、当該自被給電体が実行すべき処理を決定して実行する（ステップＳ１０５）。
【００２４】
詳細には、本実施形態において、自被給電体により実現される制御装置１００の属性判定部１０２が、充電台と通信可能な状態となったか否かを判定する（ステップＳ１０１）。自被給電体が充電台と通信可能な状態となった場合に（ステップＳ１０１のＹＥＳ）、属性判定部１０２が、当該自被給電体の属性を判定する（ステップＳ１０３）。そして、属性判定部１０２により判定される自被給電体の属性に基づいて、制御装置１００の実行部１０４が、当該自被給電体が実行すべき処理を決定して実行する（ステップＳ１０５）。
【００２５】
実行部１０４は、たとえば、自被給電体が実行できる処理の中から、処理能力、通信性能、画面サイズ、スピーカ性能、充電残量、位置、端末の種別等の自被給電体の属性に基づいて、実行すべき処理を決定する。たとえば、自被給電体のスピーカ性能がよい場合は、実行部１０４は、自被給電体に、メディアプレーヤを起動して音楽を再生する等の処理を行わせることができる。
【００２６】
以上説明したように、本発明の実施の形態の制御装置１００によれば、充電台と通信可能な自被給電体の属性に基づいて、自被給電体が実行すべき処理を決定して自被給電体が実行するので、自被給電体の属性に適した処理を実行させることができ、被給電体のユーザの利便性を向上させることができる。
【００２７】
（第２の実施の形態）
以下、本発明の制御装置の制御対象となる被給電体がスマートフォンであり、さらに、本発明の制御装置がスマートフォンを構成する任意のコンピュータにより実現される実施形態について説明する。なお、本実施形態では、被給電体であるスマートフォンにより制御装置が実現される例について説明するが、これに限定されるものではなく、上述したように、制御装置は、スマートフォン以外の被給電体、または、少なくとも一部の機能を充電台により実現されてもよい。
図３は、本発明の実施の形態に係る制御装置２００の論理的な構成を示す機能ブロック図である。
本発明の実施の形態に係る制御装置２００は、図１の上記実施形態の制御装置１００と同様な、属性判定部１０２と、実行部１０４と、を有する。
【００２８】
図４は、本発明の制御装置２００の利用シーンを説明するための図である。
図４では、２つの被給電体２１０ａおよび被給電体２１０ｂが充電台３に載置されている状態を示している。以下、２つの被給電体２１０ａおよび被給電体２１０ｂを区別する必要がない場合には、被給電体２１０と呼ぶ。
以下説明する本実施形態では、各被給電体２１０を実現するコンピュータには、本発明のコンピュータプログラムがそれぞれインストールされる。そして、プログラムが各被給電体２１０のコンピュータによってそれぞれ実行されて、各被給電体２１０において、制御装置２００の各機能をそれぞれ実現するものとする。すなわち、各被給電体２１０は、本発明のコンピュータプログラムを実行することによって実現される本発明の制御装置２００によってそれぞれ制御されることとなる。
【００２９】
本実施形態の制御装置２００は、被給電体２１０がそれぞれの属性に基づいて実行すべき処理をそれぞれ決定して実行する。後述する実施形態では、制御装置は、複数の被給電体（２１０ａおよび２１０ｂ等）の関係性に応じて、各被給電体２１０が実行すべき処理をそれぞれ決定して実行させる。
【００３０】
本発明において、充電台３は、被給電体２１０と接触または非接触で通信し、被給電体２１０のバッテリを充電する。
また、本発明において、複数の被給電体２１０を載置する充電台３は、１台である必要はなく、近隣の複数の充電台３であってもよく、複数の被給電体２１０が台数の充電台３にそれぞれ載置されていてもよい。
図４の例では、充電台３は、被給電体を載置する一面を有する構成としているが、これに限定されるものではなく、クレードル型、充電端子接続型等、他の形態であってもよい。
【００３１】
図５は、本発明の実施の形態に係る制御装置２００を実現し、かつ、制御装置２００の制御対象となる被給電体であるスマートフォン１０のハードウェア構成を示すブロック図である。
【００３２】
図５に示すように、本実施形態のスマートフォン１０は、ＣＰＵ１２と、メモリ１４と、Ｉ／Ｏ（Input/Output）１６と、通信制御部１８と、操作部２２と、操作受付部２４と、表示部２６と、表示制御部２８と、スピーカ３２と、マイク３４と、音声制御部３６と、充電制御部５２と、を備える。
【００３３】
ＣＰＵ１２は、スマートフォン１０の各要素とバス４０を介して接続され、各要素とともにスマートフォン１０全体を制御する。メモリ１４は、スマートフォン１０を動作させるためのプログラムや、そのプログラムが動作する際に使用する各種設定データ、アプリケーションデータ等を含むユーザデータを記憶するとともに、プログラムが動作するための作業領域など一時的にデータを記憶する領域を有する。Ｉ／Ｏ１６は、スマートフォン１０のＣＰＵ１２と各要素とのバス４０を介した入出力を制御する。
【００３４】
本実施形態では、スマートフォン１０は、通信手段として、アンテナ１９を介して、ＩＥＥＥ８０２．１１シリーズに準拠した無線ＬＡＮ（Local Area Network）通信（所謂Ｗｉ−Ｆｉ）が可能な他の通信装置と無線ＬＡＮ通信を行う通信制御部１８を備える。通信制御部１８は、中継局（不図示）を介して他の通信装置と通信してもよい。さらに、スマートフォン１０は、他の通信手段により、基地局（不図示）を介して携帯通信網（不図示）に接続でき、通話等の機能を有してもよい。また、スマートフォン１０は、他の通信手段、たとえば、非接触ＩＣ（Integrated Circuit）カード通信部、Bluetooth（登録商標）通信部、または赤外線通信部等を備えてもよい。
【００３５】
操作部２２は、操作キー、操作ボタン、スイッチ、ジョグダイヤル、タッチパッド、タッチパネルなどを含む。操作受付部２４は、ユーザによる操作部２２の操作を受け付け、ＣＰＵ１２に通知する。表示部２６は、ＬＥＤ（Light Emitting Diode）表示器や、液晶ディスプレイ、有機ＥＬ（ElectroLuminescence）ディスプレイなどを含む。表示制御部２８は、ＣＰＵ１２からの指示に従い、表示部２６に各種画面表示を行う。
【００３６】
スマートフォン１０の場合、操作部２２の少なくとも一部は表示部２６と一体でタッチパネルユニット３０により構成される。
音声制御部３６は、ＣＰＵ１２からの指示に従い、スピーカ３２またはマイク３４、あるいは、外部の音響デバイスとの音声入出力を制御する。
【００３７】
充電制御部５２は、スマートフォン１０に電源を供給するバッテリ５０の充電を制御する。充電制御部５２は、充電台３と端子５４を介して通信を行い、たとえば、充電台３からの電圧供給を受けてバッテリ５０を充電する。スマートフォン１０と充電台３との間の通信は、接触または非接触のいずれでもよく、特に限定されない。図５では、端子５４は、スマートフォン１０の外面に露出した形態で設けられる構成であるが、他の形態では、スマートフォン１０の内部に設けられ、非接触で充電台３と通信する構成でもよい。
【００３８】
上述したように、本実施形態の制御装置２００の各構成要素は、ＣＰＵ１２、メモリ１４、メモリ１４にロードされる図３の構成要素を実現するプログラム４２、ネットワーク接続用インタフェース（Ｉ／Ｏ１６）を備える任意のコンピュータ（スマートフォン１０）のハードウェアとソフトウェアの任意の組合せによって実現される。そして、その実現方法、装置にはいろいろな変形例があることは、当業者には理解されるところである。図３は、ハードウェア単位の構成ではなく、論理的な機能単位のブロックを示している。
【００３９】
図３の制御装置２００の各構成要素は、本実施形態のスマートフォン１０が実行するアプリケーション等のソフトウェアまたは、スマートフォン１０を構成するハードウェアと前記ソフトウェアとの協働によって実現することができる。あるいは、上述したように、制御装置２００の少なくとも一部の機能は、充電台３、または他の制御装置、たとえば、パーソナルコンピュータ等が実行するアプリケーション等の少なくともいずれかのソフトウェアまたは、充電台３、または他の制御装置を構成するハードウェアと前記ソフトウェアとの協働によって実現することもできる。また、制御装置２００は、少なくとも１つのチップや装置として実現されてもよく、さらに、少なくとも被給電体、あるいは、被給電体に加え、充電台３または他の制御装置に装着するような形態で実現されてもよい。
【００４０】
本実施の形態の制御装置２００では、本発明の実施の形態に係るコンピュータプログラム４２に対応する各種の処理動作を被給電体２１０であるスマートフォン１０のＣＰＵ１２が実行することにより、前述のような各種ユニットが各種機能として実現される。
【００４１】
本発明の実施の形態に係るコンピュータプログラム４２は、充電台３と通信可能な状態となった場合に、自被給電体２１０（スマートフォン１０）の属性を判定する手順、属性を判定する手順により判定される自被給電体２１０（スマートフォン１０）の属性に基づいて、当該自被給電体２１０（スマートフォン１０）が実行すべき処理を決定して実行する手順、をコンピュータ（スマートフォン１０のＣＰＵ１２）に実行させるように記述されている。
【００４２】
本発明において、被給電体２１０が充電台３と通信可能な状態とは、充電台３と被給電体２１０が接触または非接触で通信を行うことができる状態にあり、充電台３により被給電体２１０が充電中または充電可能な状態にあることを言う。さらに、被給電体２１０における充電台３による充電可能な状態とは、たとえば、被給電体２１０が充電台３による充電を完了した状態、または、被給電体２１０が、充電停止が設定されている状態を言う。
本実施形態では、被給電体２１０が充電台３に載置されると、充電台３と通信可能な状態になる。
【００４３】
属性判定部１０２が、被給電体２１０の通信可能な状態を検出するための情報を取得する方法としては、たとえば、以下の方法が考えられる。ここでは、属性判定部１０２が被給電体２１０（スマートフォン１０）により構成されている場合について、説明する。
（ａ１）被給電体２１０（スマートフォン１０）と充電台３との間の任意の通信手段（スマートフォン１０（被給電体２１０）の充電制御部５２または通信制御部１８）から、被給電体２１０と充電台３との通信可能な状態か否かを示す情報を取得する。
（ａ２）充電台３から、被給電体２１０（スマートフォン１０）と充電台３との間の任意の通信手段を介して、充電台３と被給電体２１０との間の通信可能な状態か否かを示す情報を取得する。
【００４４】
また、本実施形態において、制御装置２００は、インターネット等のネットワークを介して、被給電体２１０および充電台３の少なくともいずれか、またはそれぞれが充電台３と通信可能な状態を、サーバに通知またはサーバが収集する構成を利用してもよい。属性判定部１０２は、スマートフォン１０の通信制御部１８によりサーバにネットワークを介してアクセスし、これらの情報を取得してもよい。
【００４５】
上記において、被給電体２１０と充電台３との通信可能な状態か否かを示す情報とは、たとえば、（ｂ１）被給電体２１０が充電中であることを示す情報、（ｂ２）被給電体２１０が満充電で充電を終了していることを示す情報、および、（ｂ３）被給電体２１０が充電台３と任意の通信手段により通信可能な状態であり、かつ、充電中か満充電かに関わらず、充電停止が設定されていることを示す情報、の少なくともいずれか、または、これらの組み合わせである。
【００４６】
属性判定部１０２が、被給電体２１０または充電台３から上記情報を取得するタイミングは、定期的または任意のタイミング等、様々考えられる。属性判定部１０２が、定期的または任意のタイミングで、被給電体２１０または充電台３に対して情報を要求して取得もよいし、被給電体２１０または充電台３から、たとえば、被給電体２１０における充電開始時や充電終了時等に出力された情報を受信した時に取得してもよい。
属性判定部１０２は、このようにして取得した情報に基づいて、被給電体２１０と充電台３との通信可能な状態を検出することができる。
【００４７】
また、他の実施形態において、制御装置２００の属性判定部１０２の少なくとも一部の機能が充電台３により実現される場合、被給電体２１０と充電台３との通信可能な状態を示す情報を、充電台３の充電手段または通信手段から、属性判定部１０２は取得することができる。充電台３は、定期的または任意のタイミングで、被給電体２１０に対して、情報を要求して取得してもよいし、被給電体２１０から、たとえば、被給電体２１０における充電開始時や充電終了時等に出力された情報を受信した時に取得してもよい。あるいは、被給電体２１０における任意のタイミングで、被給電体２１０から出力された情報を受信してもよいし、被給電体２１０からの要求を受けて、被給電体２１０に対して、情報を要求して取得してもよい。
【００４８】
属性判定部１０２により判定される自被給電体２１０の属性とは、以下の属性情報の少なくともいずれか、またはそれらの組み合わせの情報を含む。
（ｃ１）予め定められた優先順位（マスタ、スレーブの関係も含む）
（ｃ２）充電台３に載せられた順（充電台３と通信可能になった順）
（ｃ３）位置（たとえば、充電台３上の位置関係、運転席側や助手席側、あるいは、ＧＰＳ（Global Positioning System）により得られる位置情報）
（ｃ４）画面の性能（サイズ、解像度、表示速度、画面の向き（形状）等）、または、画面の有無
（ｃ５）通信性能（通信速度、通信手段の種類）、または通信機能の有無
（ｃ６）電池の性能（電池容量、電池残量、消費電力）
（ｃ７）充電状態（充電中、充電完了、充電停止中等）
（ｃ８）スピーカ性能（または音声入出力機能の有無）
（ｃ９）端末の種別（通信端末、オーディオ機器、ゲーム機等の種別）
上記の属性情報は、自被給電体２１０が保持している情報、および、充電台３が保持している情報の少なくともいずれか、または、それらの組み合わせを含む。複数の属性を組み合わせる場合には、属性の優先順位や重要度等に基づき判定順位を予め定めておくことができる。
【００４９】
また、属性判定部１０２は、自被給電体２１０の属性情報を、スマートフォン１０のメモリ１４または対応するユニット（たとえば、通信制御部１８から通信性能、表示制御部２８から画面サイズや解像度、充電制御部５２から電池残量等）から取得することができる。
【００５０】
属性判定部１０２が、スマートフォン１０（被給電体２１０）または充電台３から属性情報を取得するタイミングは、定期的または任意のタイミング等、様々考えられる。属性判定部１０２が、被給電体２１０または充電台３に対して属性情報を要求して取得もよいし、被給電体２１０または充電台３から、たとえば、被給電体２１０が充電台３に載置された時、または被給電体２１０における充電開始時や充電終了時などに、出力された情報を受信した時に取得してもよい。
【００５１】
また、他の実施形態において、制御装置２００の属性判定部１０２の少なくとも一部の機能が充電台３により実現される場合、属性情報を、充電台３の充電手段または通信手段から、属性判定部１０２は取得することができる。充電台３は、定期的または任意のタイミングで、自被給電体２１０に対して、情報を要求して取得してもよいし、被給電体２１０から、たとえば、被給電体２１０が充電台３に載置された時、または被給電体２１０における充電開始時や充電終了時などに、出力された情報を受信した時に取得してもよい。
【００５２】
本実施形態の制御装置２００において、実行部１０４は、属性に対応させた処理内容を定めた処理内容テーブル２０６（図３）を用いて、処理を決定する。処理内容テーブル２０６は、スマートフォン１０のメモリ１４に保持することができる。処理内容テーブル２０６は、被給電体２１０毎にカスタマイズされたものでもよいし、複数の被給電体２１０で共通のものでもよい。また、処理内容テーブル２０６は、ユーザにより編集できてもよいし、ネットワーク経由で既存のものや更新版をサーバ等からダウンロードできてもよい。
【００５３】
ここで、実行部１０４が決定する処理とは、被給電体が実行できる様々な処理を含むことができる。たとえば、被給電体に予めインストールされているアプリケーションプログラムを起動する処理、起動中のプログラムを停止する処理、待受画面のオンオフを制御する処理、通信制御処理、表示、音声等の出力デバイスの動作を制御する処理等を含むことができる。また、起動されたアプリケーションプログラムの動作を制御する処理を含んでもよい。
【００５４】
処理内容テーブル２０６には、上述したような自被給電体２１０の属性毎、または属性の組み合わせに応じて、実行すべき処理内容が対応付けて保持される。本実施形態では、処理内容テーブル２０６を用いて処理内容を定義しているが、これに限定されるものではなく、たとえば、所定のプログラム記述言語、シーケンス、またはフローチャート等で処理内容が記述されてもよく、様々な手法が考えられる。その実現方法は本発明の本質に関わらないので詳細な説明は省略する。
なお、本実施形態では、他の被給電体の属性を考慮せずに処理を決定する構成であるので、複数の被給電体２１０が充電台３に載置された場合、属性と処理内容テーブル２０６が同じである被給電体２１０は、同じ動作をすることになる。
【００５５】
次に、このように構成される本実施形態に係る制御装置２００による制御方法について、以下説明する。
なお、本実施形態の制御装置２００の制御方法は、図２の上記実施形態の制御方法と同様であるので、図２を用いて説明する。
【００５６】
本発明の実施の形態に係る制御装置の制御方法は、制御装置２００が、充電台３と通信可能な状態となった場合に（ステップＳ１０１のＹＥＳ）、自被給電体２１０の属性を判定し（ステップＳ１０３）、判定される自被給電体２１０の属性に基づいて、当該自被給電体２１０が実行すべき処理を決定して実行する（ステップＳ１０５）。
【００５７】
たとえば、スマートフォン１０が充電台３に載置されたとき、属性判定部１０２が、スマートフォン１０の充電制御部５２から、充電台３と通信可能な状態となったことを示す情報を取得し、取得した情報を元に、スマートフォン１０と充電台３が通信可能な状態となったことを検出する（ステップＳ１０１のＹＥＳ）。そして、属性判定部１０２が、スマートフォン１０の属性を判定する（ステップＳ１０３）。
【００５８】
ここで、上記の属性（ｃ３）および属性（ｃ４）に基づいて定められた処理内容テーブル２０６を用いた場合の自被給電体２１０の動作例について説明する。
図６は、本発明の実施の形態に係る制御装置２００において、自被給電体２１０が実行すべき処理を決定する手順を示すフローチャートである。
処理内容テーブル２０６には、たとえば、属性（ｃ３）の載置位置が運転席側の場合、ナビゲーション機能を実現するアプリケーションプログラム（以下、ナビゲーションプログラムと呼ぶ）を起動し、助手席側の場合、ナビゲーション機能とは別の機能、たとえば、メディアプレーヤを起動すること、属性（ｃ４）の画面が無い場合、メディアプレーヤを起動し、画面が有る場合、ナビゲーションプログラムを起動することが定められているものとする。
なお、ここでは、属性（ｃ４）の画面の有無が最優先で判定され、次いで、属性（ｃ３）の順に判定されることも処理内容テーブル２０６に定められているものとする。すなわち、載置位置に関わらず、画面が無ければ、メディアプレーヤを起動することが処理内容テーブル２０６に定められているものとする。
【００５９】
まず、属性判定部１０２は、自被給電体２１０の属性（ｃ４）の画面の有無の情報を取得し、自被給電体２１０の画面の有無を判定する（ステップＳ２０１）。画面を有していない場合（ステップＳ２０１のＮＯ）、実行部１０４は、メディアプレーヤを実行すべき処理として決定する。本実施形態では、実行部１０４は、被給電体２１０であるスマートフォン１０に、メディアプレーヤを起動させる（ステップＳ２０７）。画面を有している場合（ステップＳ２０１のＹＥＳ）、属性判定部１０２は、さらに、被給電体２１０の属性（ｃ３）の載置位置の情報を取得し、自被給電体２１０の載置位置が運転席側か否かを判定する（ステップＳ２０３）。運転席側の場合（ステップＳ２０３のＹＥＳ）、実行部１０４は、ナビゲーションプログラムを実行すべき処理として決定する。本実施形態では、実行部１０４は、スマートフォン１０に、ナビゲーションプログラムを起動させる（ステップＳ２０５）。一方、自被給電体２１０の載置位置が助手席側の場合（ステップＳ２０３のＮＯ）、実行部１０４は、メディアプレーヤを実行すべき処理として決定して、スマートフォン１０にメディアプレーヤを起動させる（ステップＳ２０７）。
【００６０】
このようにして、制御装置２００は、被給電体２１０の属性に基づいて、属性に適した処理を実行すべき処理として決定して、被給電体２１０に実行させることができる。
以上説明したように、本発明の実施の形態の制御装置２００によれば、上記実施形態と同様な効果を奏する。
また、本発明の実施の形態の制御装置２００は、処理内容テーブル２０６を用いて被給電体２１０が実行すべき処理を決定する構成を有するので、処理内容テーブル２０６に予め定められた、被給電体２１０に適した処理内容、または、ユーザがカスタマイズした処理内容で被給電体２１０に処理を実行させることができ、処理効率がよく、また、ユーザのニーズにあった処理を実行させることが可能になる。
【００６１】
（第３の実施の形態）
図７は、本発明の実施の形態に係る制御装置３００の論理的な構成を示す機能ブロック図である。
本発明の実施の形態に係る制御装置３００は、上記実施形態の制御装置１００または制御装置２００とは、自被給電体の属性に加え、自被給電体と、自被給電体とは別の他の被給電体の属性の関係性に基づいて、自被給電体が実行すべき処理を決定する点で相違する。
なお、本実施形態では、図４で示した２つの被給電体２１０ａおよび被給電体２１０ｂのうち、被給電体２１０ａを自被給電体とし、被給電体２１０ｂを、被給電体２１０ａから見た他の被給電体とする。以下、図４の各被給電体２１０を、自被給電体２１０ａおよび他被給電体２１０ｂと呼ぶものとする。
本実施形態の制御装置３００は、上記実施形態の制御装置１００または制御装置２００と同様な属性判定部１０２を備えるとともに、さらに、実行部３０４と、属性取得部３０６と、関係性取得部３０８と、をさらに備える。
【００６２】
本発明の実施の形態に係る制御装置３００は、充電台３と通信可能な状態となった場合に、自被給電体２１０ａの属性を判定する属性判定部１０２と、属性判定部１０２により判定される自被給電体２１０ａの属性に基づいて、当該自被給電体２１０ａが実行すべき処理を決定して実行する実行部３０４と、充電台３と通信可能な他被給電体２１０ｂの属性を、充電台３または他被給電体２１０ｂから取得する属性取得部３０６と、属性取得部３０６により取得された他被給電体２１０ｂの属性と、自被給電体２１０ａの属性を比較し、自被給電体２１０ａと他被給電体２１０ｂの属性の関係性を取得する関係性取得部３０８と、をさらに備え、実行部３０４は、さらに、関係性取得部３０８により取得された属性の関係性に基づいて、当該自被給電体２１０ａが実行すべき処理を決定して実行する。
【００６３】
なお、上記実施形態では、充電台３上に、自被給電体のみが載置されている場合も含んでいるが、本実施形態では、充電台３上に、自被給電体２１０ａと一緒に、自被給電体２１０ａとは別の他被給電体２１０ｂとの両方が少なくとも載置されている場合を想定している。
【００６４】
ここで、通信可能な状態とは、充電台３と自被給電体２１０ａまたは他被給電体２１０ｂが接触または非接触で通信を行い、充電台３により自被給電体２１０ａまたは他被給電体２１０ｂが充電中または充電可能な状態にあることを言う。さらに、充電台３による充電可能な状態とは、たとえば、充電台３による充電が完了した状態、または、自被給電体２１０ａまたは他被給電体２１０ｂが充電停止を設定している状態を言う。本実施形態では、属性判定部１０２により検出される自被給電体２１０ａおよび他被給電体２１０ｂが、充電台３と通信可能な状態とは、それぞれ充電台３に自被給電体２１０ａおよび他被給電体２１０ｂが載置されている状態を指す。
【００６５】
属性取得部３０６は、充電台３と通信可能な他被給電体２１０ｂの属性を、充電台３または他被給電体２１０ｂから取得する。
【００６６】
属性判定部１０２が自被給電体２１０ａの充電台３との通信可能な状態を検出するための情報、および自被給電体２１０ａの属性情報を取得する方法は、自被給電体２１０ａについては上記実施形態と同様である。さらに、属性判定部１０２が他被給電体２１０ｂの充電台３との通信可能な状態を検出するための情報を取得する方法、および属性取得部３０６が他被給電体２１０ｂの属性情報を取得する方法は、以下のものが考えられる。
（ｄ１）充電台３から、自被給電体２１０ａ（スマートフォン１０）と充電台３との間の任意の通信手段（スマートフォン１０の充電制御部５２または通信制御部１８）を介して、充電台３と他被給電体２１０ｂとの間の通信可能な状態か否かを示す情報、または、他被給電体２１０ｂの属性情報を取得する。
（ｄ２）他被給電体２１０ｂから、自被給電体２１０ａ（スマートフォン１０）と他被給電体２１０ｂとの間の任意の通信手段（スマートフォン１０の通信制御部１８）を介して、充電台３と他被給電体２１０ｂとの間の通信可能な状態か否かを示す情報、または、他被給電体２１０ｂの属性情報を取得する。
【００６７】
あるいは、本実施形態において、制御装置３００は、インターネット等のネットワークを介して、被給電体２１０および充電台３の少なくともいずれか、またはそれぞれが充電台３との通信可能な状態を、サーバに通知またはサーバが収集する構成を利用してもよい。属性判定部１０２は、スマートフォン１０の通信制御部１８によりサーバにネットワークを介してアクセスし、これらの情報を取得してもよい。
【００６８】
属性判定部１０２または属性取得部３０６が、自被給電体２１０ａ、他被給電体２１０ｂ、または充電台３から上記情報を取得するタイミングは、定期的または任意のタイミング等、様々考えられる。属性判定部１０２または属性取得部３０６が、自被給電体２１０ａ、他被給電体２１０ｂまたは充電台３に対して情報を要求して取得もよいし、自被給電体２１０ａ、他被給電体２１０ｂまたは充電台３から、たとえば、自被給電体２１０ａまたは他被給電体２１０ｂが充電台３に載置された時、または自被給電体２１０ａまたは他被給電体２１０ｂにおける充電開始時や充電終了時などに、出力された情報を受信した時に取得してもよい。
【００６９】
また、他の実施形態において、属性判定部１０２が充電台３により実現される場合、属性判定部１０２は、充電台３の充電手段または通信手段から、自被給電体２１０ａまたは他被給電体２１０ｂと充電台３との通信可能な状態を示す情報および自被給電体２１０ａの属性情報を取得することができる。また、属性取得部３０６が充電台３により実現される場合、属性取得部３０６は、充電台３の充電手段または通信手段を介して他被給電体２１０ｂから、他被給電体２１０ｂの属性情報を取得することができる。充電台３は、定期的または任意のタイミングで、自被給電体２１０ａまたは他被給電体２１０ｂに対して、情報を要求して取得してもよいし、自被給電体２１０ａまたは他被給電体２１０ｂから、たとえば、自被給電体２１０ａまたは他被給電体２１０ｂが充電台３に載置された時、または自被給電体２１０ａまたは他被給電体２１０ｂにおける充電開始時や充電終了時などに、出力された情報を受信した時に取得してもよい。
【００７０】
関係性取得部３０８は、属性取得部３０６により取得された他被給電体２１０ｂの属性と、自被給電体２１０ａの属性を比較し、自被給電体２１０ａと他被給電体２１０ｂの属性の関係性を取得する。
自被給電体２１０ａと他被給電体２１０ｂの属性の関係性は、上記被給電体２１０の属性情報（ｃ１）〜（ｃ９）について、それぞれどのような関係にあるかを取得する。たとえば、属性（ｃ１）や（ｃ２）の順位の上下関係、（ｃ３）の位置関係、（ｃ４）、（ｃ５）、（ｃ６）、（ｃ８）の各性能の優劣関係で自被給電体２１０ａと他被給電体２１０ｂの属性の関係性を示すことができる。また、被給電体２１０の属性毎、または属性の組み合わせに応じて、適した処理内容が上記実施形態の処理内容テーブル２０６と同様に定められている場合、実行部３０４は、自被給電体２１０ａの属性と他被給電体２１０ｂの属性を比較して、自被給電体２１０ａの属性に、より適した処理内容を実行すべき処理と決定する。
【００７１】
本発明の実施の形態に係るコンピュータプログラム４２は、充電台３と通信可能な状態となった場合に、自被給電体２１０ａ（スマートフォン１０）の属性を判定する手順、属性を判定する手順により判定される自被給電体２１０ａの属性に基づいて、当該自被給電体２１０ａが実行すべき処理を決定して実行する手順、充電台３と通信可能な他被給電体２１０ｂ（スマートフォン１０）の属性を、充電台３または他被給電体２１０ｂから取得する手順、属性を取得する手順により取得された他被給電体２１０ｂの属性と、自被給電体２１０ａの属性を比較し、自被給電体２１０ａと他被給電体２１０ｂの属性の関係性を取得する手順、をコンピュータ（スマートフォン１０のＣＰＵ１２）に実行させるように記述されていて、さらに、実行する手順において、関係性を取得する手順において取得された属性の関係性に基づいて、当該自被給電体２１０ａが実行すべき処理を決定して実行する手順、をコンピュータ（スマートフォン１０のＣＰＵ１２）に実行させるように記述されている。
【００７２】
次に、このように構成される本実施形態に係る制御装置３００の制御方法を説明する。図８は、本実施形態にかかる制御装置３００の動作の一例を示すフローチャートである。本実施形態のフローチャートは、図２の上記実施形態のフローチャートのステップＳ１０５で自被給電体２１０ａが実行すべき処理を決定する手順の詳細な手順を示している。
【００７３】
本実施形態の制御装置３００の制御方法は、制御装置３００が、自被給電体２１０ａの属性に基づいて、当該自被給電体２１０ａが実行すべき処理を決定する（図２のステップＳ１０５）際に、さらに、制御装置３００が、充電台３と通信可能な他被給電体２１０ｂの属性を、充電台３または他被給電体２１０ｂから取得し（図８のステップＳ３０３）、取得された他被給電体２１０ｂの属性と、自被給電体２１０ａの属性を比較し、自被給電体２１０ａと他被給電体２１０ｂの属性の関係性を取得し（図８のステップＳ３０５）、取得された属性の関係性に基づいて、当該自被給電体２１０ａが実行すべき処理を決定して実行する（図８のステップＳ３０７）。
【００７４】
詳細には、図２のステップＳ１０５において、自被給電体２１０ａが実行すべき処理を実行部３０４が決定する時、図８のフローチャートに進む。図８のステップＳ３０１において、属性取得部３０６が、充電台３と通信可能な他被給電体２１０ｂが存在するか否かを判定する（ステップＳ３０１）。他被給電体２１０ｂが存在しない場合（ステップＳ３０１のＮＯ）、本処理を処理する。この場合、実行部３０４は、図２のステップＳ１０５にて、自被給電体２１０ａの属性に基づいて、当該自被給電体２１０ａが実行すべき処理を決定して自被給電体２１０ａに実行させる。
一方、他被給電体２１０ｂが存在した場合（ステップＳ３０１のＹＥＳ）、属性取得部３０６が、他被給電体２１０ｂの属性を取得する（ステップＳ３０３）。そして、属性取得部３０６が、他被給電体２１０ｂの属性と自被給電体２１０ａの属性を比較し、自被給電体２１０ａと他被給電体２１０ｂの属性の関係性を取得する（ステップＳ３０５）。
実行部３０４が、自被給電体２１０ａの属性に加え、さらに、ステップＳ３０５で取得した関係性に基づいて、自被給電体２１０ａが実行すべき処理を決定して自被給電体２１０ａに実行させる（ステップＳ３０７）。
【００７５】
ここで、上記の属性（ｃ６）および属性（ｃ８）に基づいて定められた処理内容テーブル２０６を用いた場合の自被給電体２１０ａの動作例について説明する。
図９は、本発明の実施の形態に係る制御装置３００において、自被給電体２１０ａが実行すべき処理を決定する手順を示すフローチャートである。
処理内容テーブル２０６には、たとえば、属性（ｃ６）の被給電体のバッテリ残量が閾値以上の場合、所定の処理（ナビゲーションプログラムまたはメディアプレーヤの起動）を行い、閾値未満の場合、所定の処理は停止し、画面もオフすること、さらに、被給電体のバッテリ残量が多い方にナビゲーションプログラムを実行させること、属性（ｃ８）のスピーカ性能が他被給電体２１０ｂより高い場合、メディアプレーヤを起動し、低い場合、メディアプレーヤ以外の処理を行うことが定められているものとする。
なお、ここでは、属性（ｃ６）のバッテリ残量が閾値以上か否かの判定が最優先で行われ、次いで、属性（ｃ８）のスピーカ性能の優劣、さらに、属性（ｃ６）のバッテリ残量の大小の順に、自被給電体２１０ａと他被給電体２１０ｂの属性が比較される。
【００７６】
また、本実施形態では、スピーカ性能の優劣でメディアプレーヤの起動を判定しているが、これに限定されない。たとえば、音楽のみでなく、映像を再生できるメディアプレーヤであれば、画面の解像度が高いか否かで判定してもよい。あるいは、画像の処理能力で判定してもよい。また、ネットワーク経由でストリーミング配信される映像等を再生する場合であれば、被給電体の通信機能の有無や通信速度等で判定してもよい。
【００７７】
属性判定部１０２は、自被給電体２１０ａの属性（ｃ６）のバッテリ残量の情報と、属性（ｃ８）のスピーカ性能の情報を取得する。そして、属性取得部３０６は、他被給電体２１０ｂの属性（ｃ６）のバッテリ残量の情報と、属性（ｃ８）のスピーカ性能の情報を取得する。そして、属性判定部１０２が、自被給電体２１０ａのバッテリ残量が閾値以上か否かを判定する（ステップＳ３１１）。閾値未満の場合（ステップＳ３１１のＮＯ）、実行部３０４は、自被給電体２１０ａであるスマートフォン１０に何も処理させず、または所定の処理を停止して、画面もオフして（ステップＳ３１３）、本処理を終了する。
【００７８】
閾値以上の場合（ステップＳ３１１のＹＥＳ）、さらに、関係性取得部３０８が、自被給電体２１０ａと他被給電体２１０ｂのスピーカ性能を比較する（ステップＳ３１５）。他被給電体２１０ｂよりスピーカ性能が高い場合（ステップＳ３１５のＹＥＳ）、実行部３０４は、メディアプレーヤを自被給電体２１０ａが実行すべき処理として決定して、スマートフォン１０にメディアプレーヤを起動させる（ステップＳ３２１）。一方、他被給電体２１０ｂよりスピーカ性能が低い、または同程度の場合（ステップＳ３１５のＮＯ）、関係性取得部３０８が、さらに、自被給電体２１０ａと他被給電体２１０ｂのバッテリ残量を比較する（ステップＳ３１７）。
【００７９】
他被給電体２１０ｂよりバッテリ残量が多い、または同じ場合（ステップＳ３０７のＹＥＳ）、実行部３０４は、ナビゲーションプログラムを実行すべき処理として決定して、スマートフォン１０にナビゲーションプログラムを起動させる（ステップＳ３１９）。一方、他被給電体２１０ｂよりバッテリ残量が少ない場合（ステップＳ３１７のＮＯ）、実行部３０４は、メディアプレーヤを自被給電体２１０ａが実行すべき処理として決定して、スマートフォン１０にメディアプレーヤを起動させる（ステップＳ３２１）。
【００８０】
このようにして、本実施形態の制御装置３００は、自被給電体２１０ａのバッテリ残量が少ない場合には、充電を優先させて、バッテリの消費を抑えるために他の処理は停止し、自被給電体２１０ａのスピーカ性能が高い場合にはメディアプレーヤを起動させ、バッテリ残量が多い場合にはナビゲーションプログラムを起動させること等ができる。
このように、自被給電体２１０ａの属性に基づいて、実行すべき処理を決定するとともに、さらに、他被給電体２１０ｂの属性も考慮して、自被給電体２１０ａが実行すべき処理を、より適切なものに決定して実行することができる。
本実施形態では、他被給電体２１０ｂとの属性の関係性を考慮するので、自被給電体２１０ａと他被給電体２１０ｂの属性が異なる場合、それぞれの属性に適した処理をそれぞれ実行させることができる。
【００８１】
以上説明したように、本発明の実施の形態の制御装置３００によれば、自被給電体２１０ａに加え、他被給電体２１０ｂが充電台３に載置されている状況においても、上記実施形態と同様な効果を奏するとともに、さらに、他被給電体２１０ｂとの属性の関係性も考慮して自被給電体２１０ａが実行すべき処理を決定して実行することができるので、被給電体毎に効率のよい処理を実行することができ、ユーザの使い勝手も向上する。充電台３の上という同一空間に存在する複数の被給電体で同じような機能を無秩序に実行させてしまうのは、消費電力の観点からも無駄である。被給電体それぞれの性能や属性に合った処理を分担させるのがよい。本発明では、各被給電体の属性と、その関係性に基づいて、各被給電体が実行すべき処理を決定して実行することができるので、上記課題である、充電台３の上という同一空間に存在する複数の被給電体で同じような機能を無秩序に実行させてしまうことを回避でき、消費電力の浪費を抑制することができる。
特に、本発明の実施の形態に係る制御装置３００は、充電台３上で複数の被給電体が互いに近くにあり、少なくとも１人のユーザ、または数人のユーザが、複数の被給電体を一緒に利用できる程度の近さにあるような場合に、各被給電体の利便性を向上させることができる。
【００８２】
（第４の実施の形態）
図１０は、本発明の実施の形態に係る制御装置の論理的な構成を示す機能ブロック図である。
本発明の実施の形態に係る制御装置は、上記実施の形態とは、他被給電体２１０ｂの属性と自被給電体２１０ａの属性の関係性に応じて、自被給電体２１０ａの処理を決定するとともに、さらに、他被給電体２１０ｂの処理も決定する点で相違する。
【００８３】
本実施形態では、充電台３と通信可能な状態にある複数の被給電体２１０のうち、いずれか１つが、自被給電体と他の被給電体が実行すべき処理をそれぞれ決定して実行させる第１制御装置４００ａとして機能し、その他の被給電体が、第１制御装置４００ａからの指示に従い、処理を実行する第２制御装置４００ｂとして機能する。
以下の説明では、第１制御装置４００ａの機能を実現する被給電体を第１被給電体２１０ａと呼び、第２制御装置４００ｂの機能を実現する被給電体を第２被給電体２１０ｂと呼ぶものとする。
【００８４】
また、本実施形態では、本発明の制御装置は、第１制御装置４００ａおよび第２制御装置４００ｂとして、第１被給電体２１０ａおよび第２被給電体２１０ｂによりそれぞれ実現されるが、制御装置の少なくとも一部の機能は充電台３により実現されてもよい。たとえば、充電台３が第１制御装置４００ａの機能を実現し、充電台３と通信可能な状態にある複数の被給電体２１０がすべて第２制御装置４００ｂの機能を実現してもよい。
【００８５】
なお、図１０では、第２制御装置４００ｂである第２被給電体２１０ｂは１台のみ記載されているが、これに限定されるものではない。複数の第２被給電体２１０ｂが充電台３と通信可能な状態であってもよく、第１制御装置４００ａにより制御される第２制御装置４００ｂは複数であってもよい。
なお、第１被給電体２１０ａと第２被給電体２１０ｂの所有者は、同一人物であってもよいし、別人であってもよい。
【００８６】
本実施形態では、複数の被給電体、たとえば、第１被給電体２１０ａおよび第２被給電体２１０ｂに、第１制御装置４００ａおよび第２制御装置４００ｂの機能をそれぞれ実現させる、本発明の実施の形態に係るプログラム（アプリケーション）がそれぞれインストールされる。そして、各被給電体２１０のＣＰＵ（たとえば、図５のスマートフォン１０のＣＰＵ１２）によりプログラム（アプリケーション）が実行されることで、各被給電体２１０（第１被給電体２１０ａおよび第２被給電体２１０ｂ）が本発明の実施の形態に係る制御装置（第１制御装置４００ａおよび第２制御装置４００ｂ）としてそれぞれ実現される。
【００８７】
たとえば、第１被給電体２１０ａと第２被給電体２１０ｂには、図１０に示す第１制御装置４００ａおよび第２制御装置４００ｂの両方の構成要素の各機能を実現するためのプログラム４２を全て予めインストールしておいてもよい。そして、所定の優先順位に従って、第１制御装置４００ａに定められた被給電体（ここでは第１被給電体２１０ａ）が、図１０の第１制御装置４００ａの各構成要素の各機能を、第２制御装置４００ｂに定められた被給電体（ここでは第２被給電体２１０ｂ）が、図１０の第２制御装置４００ｂの各構成要素の各機能を、それぞれ実現させるためのプログラム４２を各被給電体２１０のＣＰＵ１２が選択的に実行してもよい。
【００８８】
あるいは、第１制御装置４００ａとなる被給電体と、第２制御装置４００ｂとなる被給電体は、予め定められていて、それぞれ専用のプログラムのみをインストールする構成でもよい。あるいは、２つのプログラムを各被給電体に予めインストールして、被給電体毎に、条件に応じて、実行するプログラムを自動的または手動で選択してもよい。
【００８９】
本実施形態において、第１制御装置４００ａは、図７の上記実施形態の制御装置３００と同様な属性判定部１０２と、属性取得部３０６と、関係性取得部３０８とを備えるとともに、実行部３０４に替えて、実行部４０４を備える。さらに、第１制御装置４００ａは、通信部４０６を備える。
また、第２制御装置４００ｂは、属性送信部４１０と、指示受信部４１２と、実行部４１４と、通信部４１６と、を備える。なお、上述したように、各被給電体は、第１制御装置４００ａおよび第２制御装置４００ｂの両方の構成要素を備えてもよい。
【００９０】
本発明の実施の形態に係る制御装置（第１制御装置４００ａ：第１被給電体２１０ａ）において、実行部４０４は、図７の実行部３０４と同様な機能を有するとともに、関係性取得部３０８により取得された属性の関係性に基づいて、第２被給電体２１０ｂが実行すべき処理をさらに決定して第２被給電体２１０ｂに実行させる。
【００９１】
属性取得部３０６は、充電台３と通信可能な第２被給電体２１０ｂの属性を、充電台３または第２被給電体２１０ｂから取得する。具体的には、属性取得部３０６は、通信部４０６を介して、第２被給電体２１０ｂの属性を取得する。
実行部４０４において、図７の実行部３０４と同様に、属性判定部１０２により判定される自被給電体の属性に基づいて、当該自被給電体が実行すべき処理を決定するとともに、さらに、関係性取得部３０８により取得された属性の関係性に基づいて、当該第１被給電体２１０ａが実行すべき処理を決定して実行する。さらに、実行部４０４は、関係性取得部３０８により取得された属性の関係性に基づいて、第２被給電体２１０ｂが実行すべき処理を決定して第２被給電体２１０ｂに実行させる。
【００９２】
第１制御装置４００ａ（第１被給電体２１０ａ）の実行部４０４により決定された第２被給電体２１０ｂが実行すべき処理の情報は、たとえば、通信部４０６により、第２被給電体２１０ｂ（第２制御装置４００ｂ）に送信される。通信部４０６は、図５のスマートフォン１０の通信制御部１８、または充電制御部５２等の通信手段を用いて、第２被給電体２１０ｂと通信する。実行部４０４は、通信部４０６を用いて第２被給電体２１０ｂに処理の実行を指示する。実行部４０４は、第２被給電体２１０ｂに、直接、通信制御部１８等を介して指示を送信してもよいし、充電制御部５２により充電台３を介して指示を伝達してもよい。そのような構成においては、充電台３は、第１制御装置４００ａ（第１被給電体２１０ａ）からの指示を第２制御装置４００ｂ（第２被給電体２１０ｂ）に転送する機能を有する。
【００９３】
本発明の実施の形態に係る制御装置（第２制御装置４００ｂ：第２被給電体２１０ｂ）において、充電台３と通信可能な第１被給電体２１０ａ、または充電台３に、第２被給電体２１０ｂの属性を送信する属性送信部４１０と、第１被給電体２１０ａ、または充電台３から、第２被給電体２１０ｂが実行すべき処理の指示を受信する指示受信部４１２と、を備え、実行部４１４は、指示受信部４１２により指示を受信した場合、指示に従い、指示された処理を実行する。
【００９４】
本実施形態において、第２制御装置４００ｂの実行部４１４は、実行部３０４のような、第１被給電体２１０ａが実行すべき処理を決定する機能は停止し、第１制御装置４００ａからの指示に従い、指示された処理を実行する。ただし、充電台３と通信可能な状態にある他の被給電体（第１被給電体２１０ａ）の存在が確認されない場合や、第１制御装置４００ａからの指示が所定時間以上確認できない場合等、所定の条件下において、実行部３０４と同様な自被給電体（第２被給電体２１０ｂ）が実行すべき処理を決定する機能を行ってもよい。
【００９５】
属性送信部４１０は、第１被給電体２１０ａ（第１制御装置４００ａ）または充電台３に対し、第２被給電体２１０ｂの属性情報を、通信部４１６を用いて、第１被給電体２１０ａと第２被給電体２１０ｂとの間（または、第２被給電体２１０ｂと充電台３との間）の任意の通信手段（スマートフォン１０の通信制御部１８または充電制御部５２）を介して、送信する。
【００９６】
属性送信部４１０における属性情報の送信タイミングは、定期的または任意のタイミング等、様々考えられる。たとえば、第１被給電体２１０ａまたは充電台３から送信要求された時、第２被給電体２１０ｂが充電台３に載置された時、または、第２被給電体２１０ｂにおける充電開始時や充電終了時などのタイミングで通信部４１６は、第１被給電体２１０ａ（第１制御装置４００ａ）に属性情報を送信してもよい。
【００９７】
さらに、指示受信部４１２は、第１被給電体２１０ａ（第１制御装置４００ａ）または充電台３から、第２被給電体２１０ｂが実行すべき処理の実行指示を、通信部４１６を用いて、第１被給電体２１０ａと第２被給電体２１０ｂとの間（または、第２被給電体２１０ｂと充電台３との間）の任意の通信手段（スマートフォン１０の通信制御部１８または充電制御部５２）を介して、受信する。
【００９８】
上述したように、本発明の実施の形態に係る制御装置は、第１被給電体２１０ａおよび第２被給電体２１０ｂによりその機能をそれぞれ実現される第１制御装置４００ａおよび第２制御装置４００ｂにより構成される。本実施形態では、第１制御装置４００ａを実現する第１被給電体２１０ａに第１のコンピュータプログラムがインストールされ、第２制御装置４００ｂを実現する第２被給電体２１０ｂに第２のコンピュータプログラムがインストールされる。
本発明の実施の形態に係る第１のコンピュータプログラムは、第１制御装置４００ａを実現させるためのコンピュータに、充電台３と通信可能な状態となった場合に、第１被給電体２１０ａの属性を判定する手順、属性を判定する手順により判定される第１被給電体２１０ａの属性に基づいて、当該第１被給電体２１０ａが実行すべき処理を決定して実行する手順、充電台３と通信可能な第２被給電体２１０ｂの属性を、充電台３または第２被給電体２１０ｂから取得する手順、属性を取得する手順により取得された第２被給電体２１０ｂの属性と、第１被給電体２１０ａの属性を比較し、第１被給電体２１０ａと第２被給電体２１０ｂの属性の関係性を取得する手順、をコンピュータ（第１制御装置４００ａ）に実行させるように記述されていて、さらに、実行する手順において、関係性を取得する手順において取得された属性の関係性に基づいて、当該第１被給電体２１０ａが実行すべき処理を決定して実行する手順、をコンピュータに実行させ、さらに、実行する手順において、関係性を取得する手順により取得された属性の関係性に基づいて、第２被給電体２１０ｂが実行すべき処理をさらに決定して第２被給電体２１０ｂに実行させる手順、を実行させるように記述されている。
さらに、本発明の実施の形態に係る第２のコンピュータプログラムは、第２制御装置４００ｂを実現させるためのコンピュータに、充電台と通信可能な第２被給電体２１０ｂ、または充電台３に、第１被給電体２１０ａの属性を送信する手順、第２被給電体２１０ｂ、または充電台３から、第２被給電体２１０ｂが実行すべき処理の指示を受信する手順、指示を受信する手順において指示を受信した場合、指示に従い、指示された処理を実行する手順、を実行させるように記述されている。
【００９９】
このように構成される本発明の実施の形態に係る制御装置の制御方法を説明する。図１１は、本実施形態にかかる制御装置（第１制御装置４００ａおよび第２制御装置４００ｂ）の動作の一例を示すフローチャートである。
ここでは、たとえば、図９の上記実施形態のフローチャートで示されるような処理内容テーブル２０６に従って、第１制御装置４００ａは、第１被給電体２１０ａと第２被給電体２１０ｂがそれぞれ実行すべき処理を決定するものとして説明する。
たとえば、第２被給電体２１０ｂは、バッテリ残量が閾値以上で、かつ、第１被給電体２１０ａより多く、第１被給電体２１０ａとスピーカ性能は同程度であるとする。第１被給電体２１０ａも、バッテリ残量は閾値以上あるとする。
【０１００】
第１制御装置４００ａにおいて、第１被給電体２１０ａが充電台３と通信可能な状態となった場合に（図１１のステップＳ１０１のＹＥＳ）、図１１の第１制御装置４００ａの処理が開始する。そして、第１制御装置４００ａの属性判定部１０２が、第１被給電体２１０ａの属性（ｃ６）のバッテリ残量の情報と、属性（ｃ８）のスピーカ性能の情報を取得する（図１１のステップＳ１０３）。さらに、充電台３と通信可能な第２被給電体２１０ｂが存在する場合（図１１のステップＳ３０１のＹＥＳ）、第１制御装置４００ａの属性取得部３０６が、第２被給電体２１０ｂの属性（ｃ６）のバッテリ残量の情報と、属性（ｃ８）のスピーカ性能の情報を取得する（図１１のステップＳ３０３）。
【０１０１】
一方、第２制御装置４００ｂにおいて、第２被給電体２１０ｂが充電台３と通信可能な状態となった場合に（図１１のステップＳ４１１のＹＥＳ）、図１１の第２制御装置４００ｂの処理が開始する。そして、充電台３と通信可能な他被給電体（第１被給電体２１０ａ）が存在する場合（図１１のステップＳ４１３のＹＥＳ）、第２制御装置４００ｂの属性送信部４１０が、第２被給電体２１０ｂの属性（ｃ６）のバッテリ残量の情報と、属性（ｃ８）のスピーカ性能の情報を第１制御装置４００ａに通信部４１６を用いて送信する（図１１のステップＳ４１５）。また、充電台３と通信可能な他被給電体（第１被給電体２１０ａ）が存在しない場合（図１１のステップＳ４１３のＮＯ）、本処理を終了する。なお、第２制御装置４００ｂは、所定の条件を満たした場合、自ら第１制御装置４００ａの機能を実現するように動作してもよい。
【０１０２】
そして、第２制御装置４００ｂの実行部４１４は、第１制御装置４００ａから、第２被給電体２１０ｂが実行すべき処理の指示を待つ（図１１のステップＳ４１７）。ここで、所定時間以上、第１制御装置４００ａからの指示を受信できなかった場合（図１１のステップＳ４１７のＮＯ）、エラー処理を行い（不図示）、本処理を終了してもよい。
このとき、第１制御装置４００ａでは、第２制御装置４００ｂから送信された第２被給電体２１０ｂの属性情報に基づいて、第１被給電体２１０ａおよび第２被給電体２１０ｂが実行すべき処理を決定する（図１１のステップＳ３０３〜ステップＳ４０１）。
【０１０３】
そして、図１１のステップＳ３０５以降で、第１制御装置４００ａが、第１被給電体２１０ａの属性に加え、第１被給電体２１０ａと第２被給電体２１０ｂの属性の関係性に基づいて、第１被給電体２１０ａと第２被給電体２１０ｂがそれぞれ実行すべき処理を決定し、第１被給電体２１０ａと第２被給電体２１０ｂにそれぞれ実行させる。具体的には、実行部４０４は、取得された属性の関係性に基づいて、第２被給電体２１０ｂが実行すべき処理をさらに決定して第２被給電体２１０ｂに実行させる（ステップＳ４０１）。このとき、実行部４０４は、第２被給電体２１０ｂが実行すべき処理の実行指示を、通信部４０６を介して第２被給電体２１０ｂ（第２制御装置４００ｂ）に送信する。
第２制御装置４００ｂでは、第１制御装置４００ａから送信された実行指示を、指示受信部４１２が通信部４１６を介して受信する（ステップＳ４１７のＹＥＳ）。そして、実行部４１４が、受信した実行指示に従い、指示された処理を行う（ステップＳ４１９）。
【０１０４】
なお、第１制御装置４００ａが、第１被給電体２１０ａが実行すべき処理を決定する動作については、上記実施形態と同様であるので、ここでは詳細な説明は省略する。第１制御装置４００ａでは、第１被給電体２１０ａが実行すべき処理がメディアプレーヤであると決定し、メディアプレーヤを起動する。
【０１０５】
以下、第１制御装置４００ａが、第２被給電体２１０ｂ（第２制御装置４００ｂ）が実行すべき処理を決定する手順について図９と図１１を用いて説明する。まず、第２制御装置４００ｂの属性送信部４１０が、第２被給電体２１０ｂの属性情報を第１制御装置４００ａに通信部４１６を介して送信し（図１１のステップＳ４１５）、第１制御装置４００ａの属性取得部３０６が受信する（図１１のステップＳ３０３）。そして、第１制御装置４００ａにおいて、属性判定部１０２が、第２被給電体２１０ｂのバッテリ残量が閾値以上か否かを判定する（図９のステップＳ３１１）。ここでは、第２被給電体２１０ｂのバッテリ残量は閾値以上なので（図９のステップＳ３１１のＹＥＳ）、さらに、第１制御装置４００ａの関係性取得部３０８が、第１被給電体２１０ａと第２被給電体２１０ｂのスピーカ性能を比較する（図９のステップＳ３１５）。
【０１０６】
第１被給電体２１０ａと第２被給電体２１０ｂのスピーカ性能は同程度なので（図９のステップＳ３１５のＮＯ）、関係性取得部３０８が、さらに、第１被給電体２１０ａと第２被給電体２１０ｂのバッテリ残量を比較する（図９のステップＳ３１７）。
ここでは、第２被給電体２１０ｂの方が、第１被給電体２１０ａよりバッテリ残量が多いので（図９のステップＳ３１７のＹＥＳ）、第１制御装置４００ａの実行部４０４は、ナビゲーションプログラムを第２被給電体２１０ｂが実行すべき処理として決定する（図９のステップＳ３１９）。
【０１０７】
そして、実行部４０４は、通信部４０６を介して第２被給電体２１０ｂにナビゲーションプログラムの起動指示を送信する（図１１のステップＳ４０１）。
なお、充電台３と通信可能な第２被給電体２１０ｂが存在しない場合（図１１のステップＳ３０１のＮＯ）、実行部４０４は、ステップＳ１０３で判定された第１被給電体２１０ａの属性に基づいて、当該第１被給電体２１０ａが実行すべき処理を決定して実行する（図１１のステップＳ１０５）。
【０１０８】
そして、第２制御装置４００ｂの指示受信部４１２は、通信部４１６を介して、第１制御装置４００ａから、第２被給電体２１０ｂが実行すべき処理（ナビゲーションプログラムの起動）の実行指示を受信し（図１１のステップＳ４１７のＹＥＳ）、第２制御装置４００ｂの実行部４１４が、当該実行指示に従い、指示された処理（ナビゲーションプログラムの起動）を第２被給電体２１０ｂに実行させる（図１１のステップＳ４１９）。
このようにして、第１制御装置４００ａは、第１被給電体２１０ａにメディアプレーヤを実行させ、第２被給電体２１０ｂにナビゲーションプログラムの実行を指示する。第２制御装置４００ｂは、第１制御装置４００ａからの実行指示に従い、第２被給電体２１０ｂにナビゲーションプログラムを実行させる。
【０１０９】
以上説明したように、本発明の実施の形態の制御装置によれば、上記実施形態と同様な効果を奏するとともに、第２被給電体２１０ｂが実行すべき処理を決定して実行させることができるので、処理が競合することもなく効率よく各被給電体２１０にそれぞれ処理を実行させることができる。
【０１１０】
以上、図面を参照して本発明の実施形態について述べたが、これらは本発明の例示であり、上記以外の様々な構成を採用することもできる。
たとえば、上記実施形態の第１制御装置４００ａは、自被給電体２１０ａと他被給電体２１０ｂの属性の関係性に基づいて、自被給電体２１０ａと他被給電体２１０ｂがそれぞれ実行すべき処理を決定する構成としたが、たとえば、自被給電体２１０ａ、および他被給電体２１０ｂの少なくとも１つの被給電体の属性に基づいて、自被給電体２１０ａおよび他被給電体２１０ｂが実行すべき処理をそれぞれ決定してもよい。
【０１１１】
上記実施形態では、自被給電体２１０ａが実行する処理が、他被給電体２１０ｂが実行している処理と同じ処理になる可能性がある。そこで、他の実施形態において、他被給電体２１０ｂが実行している処理を考慮して、自被給電体２１０ａが実行すべき処理を決定してもよい。
【０１１２】
本発明の実施の形態に係る制御装置は、充電台３と通信可能な他の被給電体２１０ｂが実行している処理の情報を取得する処理情報取得部（不図示）をさらに備えてもよい。実行部は、属性判定部１０２により判定される自被給電体２１０ａの属性に基づき決定する当該自被給電体２１０ａが実行すべき処理を、処理情報取得部により取得された他の被給電体２１０ｂが実行している処理以外の処理とする。
【０１１３】
たとえば、まず、処理情報取得部が、既に他の被給電体２１０ｂでメディアプレーヤを起動していることを示す情報を取得する。そして、実行部が、属性判定部１０２により判定される自被給電体２１０ａの属性に基づき決定する当該自被給電体２１０ａが実行すべき処理を、処理情報取得部により取得された他の被給電体２１０ｂが実行している処理（メディアプレーヤの起動）以外の処理に決定する。たとえば、自被給電体２１０ａが実行すべき処理を、ナビゲーションプログラムまたは何も処理しないように決定してもよい。
【０１１４】
この構成によれば、既に他の被給電体で実行されている処理以外の処理を行うので、複数の被給電体で同様な処理を行うことがなく、消費電力の浪費を抑制することができる。
【０１１５】
また、他の実施形態の制御装置において、実行部は、属性判定部１０２により判定される自被給電体２１０ａの属性に基づいて、当該自被給電体２１０ａが実行すべきでない処理を決定し、当該処理の実行を中止する構成を有してもよい。
たとえば、自被給電体２１０ａが、充電中、電池残量が少ない時、または充電停止中の場合には、ナビゲーションプログラム等、消費電力量が大きい処理は実行すべきでない処理として、予め処理内容テーブル等に登録しておくことができる。
【実施例】
【０１１６】
以下、本発明の実施の形態に係る制御装置の実施例について説明する。
（実施例１）
本実施例では、図１０の第１制御装置４００ａにおいて、実行部４０４が、第１被給電体２１０ａおよび第２被給電体２１０ｂの少なくとも一方の被給電体に、現在地におけるナビゲーション機能を実行させ、他方の被給電体に、現在地におけるナビゲーション機能とは別の機能を実行させることを決定する。
本実施例では、充電台３が車輌のダッシュボードの上に設置されているとする。そして、２つの被給電体２１０が、充電台３上の運転席側と助手席側にそれぞれ載置され、２つの被給電体２１０が、それぞれ充電台３と通信可能な状態であることが検出されたとする。
【０１１７】
このとき、第１制御装置４００ａの実行部４０４は、運転手側の被給電体（たとえば、第２被給電体２１０ｂ）に、現在地のナビゲーションの地図を表示する処理を実行させ、一方、助手席側の被給電体（第１被給電体２１０ａ）に、目的地周辺の情報を表示する処理を実行させることを決定する。そして、第１制御装置４００ａの実行部４０４は、通信部４０６を介して第２制御装置４００ｂに目的地周辺の情報を表示する処理を実行するように指示する。
【０１１８】
なお、本実施例では、実行部４０４は、複数の被給電体２１０の充電台３上での相対位置に基づいて、各被給電体２１０が実行すべき処理を決定する構成を例として説明したが、他の実施例では、たとえば、各被給電体２１０の画面の向きに基づいて、実行すべき処理を決定する構成としてもよい。たとえば、運転手席の方に画面が向いていれば、現在地のナビゲーションの地図を表示する処理を実行させ、助手席の方に向いていれば、目的地周辺の情報を表示する処理を実行させてもよい。
【０１１９】
さらに、第１制御装置４００ａにおいて、実行部４０４は、運転手側の被給電体（第２被給電体２１０ｂ）に、現在地のナビゲーションの地図を表示する処理を実行させ、一方、助手席側の被給電体（第１被給電体２１０ａ）に、現在地周辺の情報（たとえば、施設等の情報）を表示する処理を実行させることを決定してもよい。
【０１２０】
あるいは、第１制御装置４００ａにおいて、実行部４０４は、運転手側の被給電体（第２被給電体２１０ｂ）に、現在地のナビゲーションの地図を表示する処理を実行させ、一方、助手席側の被給電体（第１被給電体２１０ａ）に、運転手側の被給電体（第２被給電体２１０ｂ）とは異なる縮尺の異なる地図情報を表示する処理を実行させることを決定してもよい。
【０１２１】
さらに、第１制御装置４００ａにおいて、実行部４０４は、図１２に示すように、運転手側の被給電体（第２被給電体２１０ｂ）に、現在地におけるナビゲーション機能を、第１地図（高速道路路線図）を用いて実行させ、一方、助手席側の被給電体（第１被給電体２１０ａ）に、現在地におけるナビゲーション機能を、第１地図とは別の方法（主題）で作成された第２地図（市街地図、広域地図）を用いて実行させることを決定してもよい。
【０１２２】
また、第１制御装置４００ａにおいて、実行部４０４は、運転手側の被給電体（第２被給電体２１０ｂ）に、現在地のナビゲーションの地図を表示する処理を実行させ、一方、助手席側の被給電体（第１被給電体２１０ａ）に、メディアプレーヤ機能を実行させることを決定してもよい。
【０１２３】
（実施例２）
本実施例では、属性判定部１０２により判定される自被給電体２１０ａの属性情報と、属性情報に基づいて決定される処理内容について、例示する。
たとえば、優先順位（マスタ、スレーブ）を、被給電体の端末の種別が、タブレット端末であれば、マスタに、スマートフォンであればスレーブに、予め決めておくことができる。そして、車載充電台３であれば、マスタが行うべき処理は、ナビゲーションプログラム、スレーブが行うべき処理は、メディアプレーヤと処理内容テーブルに予め定めておく。これにより、被給電体がタブレット端末であれば、ナビゲーションプログラムが起動され、スマートフォンであればメディアプレーヤが起動されることになる。
【０１２４】
さらに、充電台３に被給電体を載せた順で、処理を決定してもよい。先に載せた方（または１台目）にナビゲーションプログラムを起動させ、それ以降は、他の処理を実行させてもよい。
また、画面サイズが大きい方（または所定サイズ以上）にナビゲーションプログラム、小さい方（または所定サイズ未満、画面無し）にメディアプレーヤを実行させてもよい。
上記とは逆に、ユーザのニーズに依存して予め指定された出力内容で実行してもよい。たとえば、画面サイズが大きい方（または所定サイズ以上）、または画質がよい方（高解像度）にメディアプレーヤを起動させ、映像再生させてもよい。
【０１２５】
あるいは、通信機能がよい方（または通信速度が所定値以上）の被給電体にナビゲーションプログラムを起動させて、現在地のナビ地図を表示させてもよい。
さらに、通信性能がよい方（または通信速度が所定値以上）の被給電体に、より大容量のストリームデータ処理を実行させてもよい。
【０１２６】
また、電池残量（容量）が多い方（または残量が所定値以上）の被給電体にナビゲーションプログラム（消費電力が大きい、または所定値以上の処理をさせる）を実行させ、少ない方（または残量が所定値未満）の被給電体に音楽再生（消費電力が小さい、または所定値未満の処理をさせる）を実行、または何も処理させずに充電に専念させてもよい。
あるいは、消費電力が少ない方（または残量が所定値未満）の被給電体にナビゲーションプログラム（消費電力が大きい、または所定値以上の処理をさせる）を実行させ、多い方（消費電力が小さい、または所定値未満の処理をさせる）の被給電体に音楽再生（消費電力が小さい、または所定値未満の処理をさせる）を実行、または何も処理させずに充電に専念させてもよい。
あるいは、充電完了した方の被給電体にナビゲーションプログラム（所定の処理）を実行させ、充電中の方には何も処理させずに充電に専念させてもよい。
【０１２７】
以上、実施形態および実施例を参照して本願発明を説明したが、本願発明は上記実施形態および実施例に限定されるものではない。本願発明の構成や詳細には、本願発明のスコープ内で当業者が理解し得る様々な変更をすることができる。
なお、本発明において利用者（ユーザ）に関する情報を取得、利用する場合は、これを適法に行うものとする。
【０１２８】
以下、参考形態の例を付記する。
１．  制御装置が、
充電台と通信可能な状態となった場合に、自被給電体の属性を判定し、
判定される前記自被給電体の属性に基づいて、当該自被給電体が実行すべき処理を決定して実行する制御装置の制御方法。
２．  １．に記載の制御装置の制御方法において、
前記制御装置が、
前記充電台と通信可能な他の被給電体の属性を、前記充電台または前記他の被給電体から取得し、
取得された前記他の被給電体の属性と、前記自被給電体の属性を比較し、前記自被給電体と前記他の被給電体の前記属性の関係性を取得し、
取得された前記属性の関係性に基づいて、当該自被給電体が実行すべき処理を決定して実行する制御装置の制御方法。
３．  ２．に記載の制御装置の制御方法において、
前記制御装置が、
取得された前記属性の関係性に基づいて、前記他の被給電体が実行すべき処理をさらに決定して実行させる制御装置の制御方法。
４．  ３．に記載の制御装置の制御方法において、
前記制御装置が、
前記充電台と通信可能な他の被給電体、または前記充電台に、前記自被給電体の属性を送信し、
前記他の被給電体、または前記充電台から、前記他の被給電体が実行すべき処理の指示を受信し、
前記指示を受信した場合、前記指示に従い、指示された前記処理を実行する制御装置の制御方法。
５．  １．乃至４．いずれかに記載の制御装置の制御方法において、
前記制御装置が、
前記充電台と通信可能な他の被給電体が実行している処理の情報を取得し、
判定される前記自被給電体の属性に基づき決定する当該自被給電体が実行すべき処理を、取得された前記他の被給電体が実行している処理以外の処理とする制御装置の制御方法。
６．  １．乃至５．いずれかに記載の制御装置の制御方法において、
前記制御装置が、
判定される前記自被給電体の属性に基づいて、当該被給電体が実行すべきでない処理を決定し、当該処理の実行を中止する制御装置の制御方法。
７．  １．乃至６．いずれかに記載の制御装置の制御方法において、
前記自被給電体または他の被給電体の前記属性として、前記充電台と通信可能な前記自被給電体と前記他の被給電体に予め定められた優先順位、前記自被給電体と前記他の被給電体が前記充電台と通信可能になった順番、前記充電台と通信可能な前記自被給電体と前記他の被給電体の位置、前記自被給電体と前記他の被給電体の画面の性能、前記自被給電体と前記他の被給電体の電池の性能、前記自被給電体と前記他の被給電体の通信性能、および前記自被給電体と前記他の被給電体のスピーカの性能の少なくともいずれかを用いる制御装置の制御方法。
８．  ３．乃至７．いずれかに記載の制御装置の制御方法において、
前記制御装置が、
前記自被給電体および前記他の被給電体の少なくとも一方の被給電体に、現在地におけるナビゲーション機能を実行させ、他方の被給電体に、前記ナビゲーション機能とは別の機能を実行させることを決定する制御装置の制御方法。
９．  ８．に記載の制御装置の制御方法において、
前記制御装置が、
前記他方の被給電体に、目的地周辺の情報を表示する処理を実行させることを決定する制御装置の制御方法。
１０．  ８．または９．に記載の制御装置の制御方法において、
前記制御装置が、
前記他方の被給電体に、現在地周辺の情報を表示する処理を実行させることを決定する制御装置の制御方法。
１１．  ８．乃至１０．いずれかに記載の制御装置の制御方法において、
前記制御装置が、
前記他方の被給電体に、前記一方の被給電体とは異なる縮尺の異なる地図情報を表示する処理を実行させることを決定する制御装置の制御方法。
１２．  ８．乃至１１．いずれかに記載の制御装置の制御方法において、
前記制御装置が、
前記一方の被給電体に、前記ナビゲーション機能を、第１地図を用いて実行させ、前記他方の被給電体に、前記現在地におけるナビゲーション機能を、前記第１地図とは別の方法で作成された第２地図を用いて実行させることを決定する制御装置の制御方法。
１３．  ８．乃至１２．いずれかに記載の制御装置の制御方法において、
前記制御装置が、
前記他方の被給電体に、メディアプレーヤ機能を実行させることを決定する制御装置の制御方法。
【０１２９】
１４．  充電台と通信可能な状態となった場合に、自被給電体の属性を判定する手順、
前記属性を判定する手順により判定される前記自被給電体の属性に基づいて、当該自被給電体が実行すべき処理を決定して実行する手順、
をコンピュータに実行させるためのプログラム。
１５．  １４．に記載のプログラムにおいて、
前記充電台と通信可能な他の被給電体の属性を、前記充電台または前記他の被給電体から取得する手順、
前記属性を取得する手順において取得された前記他の被給電体の属性と、前記自被給電体の属性を比較し、前記自被給電体と前記他の被給電体の前記属性の関係性を取得する手順、をさらにコンピュータに実行させ、
前記実行する手順において、
前記関係性を取得する手順において取得された前記属性の関係性に基づいて、当該自被給電体が実行すべき処理を決定して実行する手順、
をコンピュータに実行させるためのプログラム。
１６．  １５．に記載のプログラムにおいて、
前記実行する手順において、
前記関係性を取得する手順において取得された前記属性の関係性に基づいて、前記他の被給電体が実行すべき処理をさらに決定して実行する手順、
をコンピュータに実行させるためのプログラム。
１７．  １６．に記載のプログラムにおいて、
前記充電台と通信可能な他の被給電体、または前記充電台に、前記自被給電体の属性を送信する手順、
前記他の被給電体、または前記充電台から、前記他の被給電体が実行すべき処理の指示を受信する手順、
前記指示を受信する手順において前記指示を受信した場合、前記指示に従い、指示された前記処理を実行する手順、
をコンピュータに実行させるためのプログラム。
１８．  １４．乃至１７．いずれかに記載のプログラムにおいて、
前記充電台と通信可能な他の被給電体が実行している処理の情報を取得する手順、をさらにコンピュータに実行させ、
前記実行する手順において、
前記属性を判定する手順において判定される前記自被給電体の属性に基づき決定する当該自被給電体が実行すべき処理を、前記処理の情報を取得する手順において取得された前記他の被給電体が実行している処理以外の処理とする手順、
をコンピュータに実行させるためのプログラム。
１９．  １４．乃至１８．いずれかに記載のプログラムにおいて、
前記実行する手順において、
前記属性を判定する手順において判定される前記自被給電体の属性に基づいて、当該被給電体が実行すべきでない処理を決定し、当該処理の実行を中止する手順、
をコンピュータに実行させるためのプログラム。
２０．  １４．乃至１９．いずれかに記載のプログラムにおいて、
前記実行する手順において、前記自被給電体または他の被給電体の前記属性として、前記充電台と通信可能な前記自被給電体と前記他の被給電体に予め定められた優先順位、前記自被給電体と前記他の被給電体が前記充電台と通信可能になった順番、前記充電台と通信可能な前記自被給電体と前記他の被給電体の位置、前記自被給電体と前記他の被給電体の画面の性能、前記自被給電体と前記他の被給電体の電池の性能、前記自被給電体と前記他の被給電体の通信性能、および前記自被給電体と前記他の被給電体のスピーカの性能の少なくともいずれかを用いる、プログラム。
２１．  １６．乃至２０．いずれかに記載のプログラムにおいて、
前記実行する手順において、前記自被給電体および前記他の被給電体の少なくとも一方の被給電体に、現在地におけるナビゲーション機能を実行させ、他方の被給電体に、前記ナビゲーション機能とは別の機能を実行させることを決定する手順、
をコンピュータに実行させるためのプログラム。
２２．  ２１．に記載のプログラムにおいて、
前記実行する手順において、前記他方の被給電体に、目的地周辺の情報を表示する処理を実行させることを決定する手順、
をコンピュータに実行させるためのプログラム。
２３．  ２１．または２２．に記載のプログラムにおいて、
前記実行する手順において、前記他方の被給電体に、現在地周辺の情報を表示する処理を実行させることを決定する手順、
をコンピュータに実行させるためのプログラム。
２４．  ２１．乃至２３．いずれかに記載のプログラムにおいて、
前記実行する手順において、前記他方の被給電体に、前記一方の被給電体とは異なる縮尺の異なる地図情報を表示する処理を実行させることを決定する手順、
をコンピュータに実行させるためのプログラム。
２５．  ２１．乃至２４．いずれかに記載のプログラムにおいて、
前記実行する手順において、前記一方の被給電体に、前記ナビゲーション機能を、第１地図を用いて実行させ、前記他方の被給電体に、前記現在地におけるナビゲーション機能を、前記第１地図とは別の方法で作成された第２地図を用いて実行させることを決定する手順、
をコンピュータに実行させるためのプログラム。
２６．  ２１．乃至２５．いずれかに記載のプログラムにおいて、
前記実行する手順において、前記他方の被給電体に、メディアプレーヤ機能を実行させることを決定する手順、
をコンピュータに実行させるためのプログラム。
【０１３０】
２７．  充電台と通信可能な他の被給電体、または前記充電台に、自被給電体の属性を送信する手順、
前記他の被給電体、または前記充電台から、前記他の被給電体が実行すべき処理の指示を受信する手順、
前記指示を受信する手順において前記指示を受信した場合、前記指示に従い、指示された前記処理を実行する手順、
をコンピュータに実行させるためのプログラム。
【符号の説明】
【０１３１】
３  充電台
１０  スマートフォン
１２  ＣＰＵ
１４  メモリ
１６  Ｉ／Ｏ
１８  通信制御部
１９  アンテナ
２２  操作部
２４  操作受付部
２６  表示部
２８  表示制御部
３０  タッチパネルユニット
３２  スピーカ
３４  マイク
３６  音声制御部
４０  バス
４２  コンピュータプログラム
５０  バッテリ
５２  充電制御部
５４  端子
１００  制御装置
１０２  属性判定部
１０４  実行部
２００  制御装置
２０６  処理内容テーブル
２１０  被給電体
３００  制御装置
３０４  実行部
３０６  属性取得部
３０８  関係性取得部
４００ａ  第１制御装置
４００ｂ  第２制御装置
４０４  実行部
４０６  通信部
４１０  属性送信部
４１２  指示受信部
４１４  実行部
４１６  通信部
【図１】
2015033142.tif 000003
【図２】
2015033142.tif 000004
【図３】
2015033142.tif 000005
【図４】
2015033142.tif 000006
【図５】
2015033142.tif 000007
【図６】
2015033142.tif 000008
【図７】
2015033142.tif 000009
【図８】
2015033142.tif 000010
【図９】
2015033142.tif 000011
【図１０】
2015033142.tif 000012
【図１１】
2015033142.tif 000013
【図１２】
2015033142.tif 000014